(57)【要約】      （修正有）【課題】簡単な構造ながらも外観を損なうことなく、安定器が内蔵されていない蛍光ランプにも適用できる陰イオン発生器を内蔵した蛍光ランプに対するものである。【解決手段】直管型バルブ１４の両端部に端子ピン１６が突き出されるベース１５が具備され、内部には蛍光ランプ１０と、一方に上記蛍光ランプ１０の端子ピン１６を挟み込むように通電できる挿入孔２４が形成されて、他方の端子には上記蛍光ランプ１０の端子ピン１６と等しい規格の端子ピン２５が形成されたハウジング２０がある。上記ハウジング２０の内部には上記挿入孔２４と端子ピン２５の間に電気的に接続されており、蛍光ランプ１０の端子に流れる電流を引き出して駆動する陰イオン発生器２１を内蔵する。上記ハウジング２０の周辺部に陰イオン放出孔２６が形成されている。【選択図】図２
2008066267.tif 000002
【特許請求の範囲】
【請求項１】
直管型バルブ（１４）の両端部に端子ピン（１６）が突き出されるベース（１５）が具備されて内部にはフィラメントと不活性気体が封入される蛍光ランプ（１０）において、片端には上記蛍光ランプ（１０）の端子ピン（１６）に挟まれて通電される挿入孔（２４）が形成されて他端には上記蛍光ランプ（１０）の端子ピン（１６）と等しい規格の端子ピン（２５）が形成されたハウジング（２０）が具備されて、上記ハウジング（２０）の内部には上記挿入孔（２４）と端子ピン（２５）の間に電気的に接続されて蛍光ランプ（１０）の端子で流れる電流を引き出して駆動される陰イオン発生器（２１）が内蔵して、上記ハウジング（２０）のまわり部には陰イオン放出孔（２６）が形成されたことを特徴にする陰イオン発生器を内蔵した蛍光ランプ。
【請求項２】
第１項において、上記ハウジング（２０）は上記蛍光ランプ（１０）の直管型バルブ（１４）と等しい直径の規格で構成されており、その内部に内蔵する陰イオン発生器（２１）は蛍光灯器具の安定器回路から出る交流を直流で切り替える定流部（３２）と、定流された電源を決まった電圧レベルに調整する定電圧部（３４）と、この定電圧部（３４）に接続されて陰イオンを発生する陰イオン発生部（３６）と、陰イオン発生部（３６）の作動状態を表示する作動表示部（３８）で構成されたことを特徴にする陰イオン発生器を内蔵した蛍光ランプ。
【発明の詳細な説明】
【技術分野】
【０００１】本発明は陰イオン発生器を内蔵した蛍光ランプに関するものであり、簡単な構造ながらも見掛けが綺麗で、安定器が内蔵しないタイプの直管型蛍光ランプにも適用され、経済的な新しい構造の陰イオン発生器を内蔵した蛍光ランプに対するものである。【０００２】陰イオンは人体の新陳代謝を促進したり、細胞の活性化、細菌に対する抵抗力増進、殺菌作用など健康増進に有益な機能をするので室内に陰イオン発生器を設置して使う環境が増大している。近年、別途の陰イオン発生器を使わないで蛍光ランプに陰イオン発生機能を付け加えた製品が紹介されている。【０００３】既出の陰イオン発生器が内蔵した蛍光ランプは図１に示されたように、ねじ式ソケット（３）が具備された電球式蛍光ランプのハウジング（２）にバルブ（４）が装着された構造で、ハウジング（２）とバルブ（４）の接続部位に陰イオン発生部（６）が突き出て設置される。上記ハウジング（２）の内部には安定器回路（７）とともに陰イオン発生回（８）が内蔵しているものである。このような陰イオン発生回路（８）と安定器回路（７）はランプのソケット（３）から並列で繋がれて、電圧を引き出して別々に駆動する方式を取っている。【０００４】このような従来の陰イオン発生器内蔵蛍光ランプは、ねじ式ソケット（３）をベースにする電球型蛍光ランプは比較的体積が大きいハウジング（２）に安定器回路（７）を内蔵したタイプの蛍光ランプである。このような蛍光ランプは安定器回路（７）を付加する必要があるので構造が複雑で相対的に製造原価も高くなり、安価な陰イオン発生機能を持ったランプを作ることが難しかった。また寿命が切れたランプを廃棄する場合には廃棄物の量が増大する問題点があった。同時に、従来には陰イオン発生器が安定器回路（７）を内蔵する蛍光灯器具にだけ適用されるので、安定器を内蔵しない方式の蛍光灯器具では陰イオン発生機能を享受することができないという限界があった。【０００５】このような点に着眼した従来の安定器回路を自主的に内蔵しない三波長蛍光ランプ、または直管型蛍光ランプに陰イオン発生機能を付加的に具備したランプが出願され、公開された事がある。この中で、陰イオン発生機能が付加した直管型蛍光灯は直管型蛍光灯の単純な形態によって、陰イオン発生器を設置するに値する空間がなく、仕方なく陰イオン発生器を円筒状の蛍光灯の端部のソケット周辺部に取り巻くように構成しており、見掛け上も好ましくなくうえ、構造的にも複雑で運送や保管中の際も体積を占める。またランプ破損の原因となることがあった。また、このような付加的構成品が蛍光灯のバルブを部分的に覆うことで蛍光灯の明りを遮断して照度の低下またはバラ付きをもたらしたりした。そして、蛍光ランプの周辺部にこのような円筒状付加的構成品を設置することで、寸法上、蛍光灯器具との干渉などが発生し、実際には設置可能な蛍光灯器具に制限があるという問題点があった。
【発明の開示】
【発明が解決しようとする課題】
【０００６】本発明は上述のように従来の陰イオン発生器を具備した蛍光ランプの問題点に着眼して提案されたものであり、本発明は従来の直管型蛍光灯でランプの取り付け規格に対する変更なしに陰イオン発生器を一体で構成し、見掛けを損なうことなく、従来の一般的な直管型蛍光ランプと互換性をもって使うことができる新しい構造の陰イオン発生器を内蔵した蛍光ランプを提供しようとするものである。
【課題を解決するための手段】
【０００７】本発明の一つの特徴によれば、直管型バルブ（１４）の両端部に端子ピン（１６）が突き出されるベース（１５）が具備されて内部にはフィラメントと不活性気体が封入される蛍光ランプ（１０）において、片端には上記蛍光ランプ（１０）の端子ピン（１６）に挟まれて通電される挿入孔（２４）が形成されて他端には上記蛍光ランプ（１０）の端子ピン（１６）と等しい規格の端子ピン（２５）が形成されたハウジング（２０）が具備されて、上記ハウジング（２０）の内部には上記挿入孔（２４）と端子ピン（２５）の間に電気的に接続されて蛍光ランプ（１０）の端子で流れる電流を引き出して駆動される陰イオン発生器（２１）が内蔵して、上記ハウジング（２０）のまわり部には陰イオン放出孔（２６）が形成されたことを特徴にする陰イオン発生器を内蔵した蛍光ランプが提供されるものである。【０００８】本発明の他の特徴によれば、上記ハウジング（２０）は上記蛍光ランプ（１０）の直管型バルブ（１４）と等しい直径の規格で構成されており、その内部に内蔵する陰イオン発生器（２１）は蛍光灯器具の安定器回路から出る交流を直流で切り替える整流部（３２）と、整流された電源を決まった電圧レベルで調整する定電圧部（３４）と、この定電圧部（３４）に接続されて陰イオンを発生する陰イオン発生部（３６）と、陰イオン発生部（３６）の作動状態を表示する作動表示部（３８）で構成されたことを特徴にする陰イオン発生器を内蔵した蛍光ランプが提供されるものである。【０００９】以下の図面を参照して本発明の望ましい実試例を説明すれば次のようになる。図２は本考案実試例の構成図で、図３はその外観図、図４は陰イオン発生器（２１）の構成図、図５は本発明の実試例の回路図である。【００１０】図示したように本発明によれば、断面原型の直管型バルブ（１４）を具備する一般的な直管型蛍光ランプ（１０）の両端部には二つの端子ピン（１６）がそれぞれ突き出されるベース（１５）が形成される。そして蛍光ランプ（１０）のベース（１５）は本発明による陰イオン発生器のハウジング（２０）が結合される。このハウジング（２０）の片側面には上記端子ピン（１６）が結合されて電気的に通電される挿入孔（２４）が形成され、他側面には上記蛍光ランプ（１０）の端子ピン（１６）と等しい規格の端子ピン（２５）が形成される．この時見た発明による直管型蛍光ランプ（１０）の長さは一般的な蛍光ランプよりちょっと短く製作して、上記陰イオン発生器のハウジング（２０）を結合した状態で通常的な蛍光灯灯器具の両端部ソケットに正常に結合されることができるようにする。【００１１】本発明の陰イオン発生器ハウジング（２０）は図３に図示されるように、半円はめ込み式本体（２１）とカバー（２２）で構成されて、上記本体（２１）の片側の挿入孔（２４）が形成された部位には蛍光ランプ（１０）のベース（１５）が挿入されることができる凹部（２８）が形成された結合リング体（２６）が具備される。
そして本体（２１）の内部にはエポキシ樹脂に密封処理される陰イオン発生器回路基板（２９）が内蔵する。挿入孔（２４）に接した回路基板（２９）上には接点のピン（２７）が形成されて挿入孔（２４）に挟まれた蛍光ランプ（１０）の端子ピン（１６）と回路基板（２９）を電気的に通電させる。【００１２】上記回路基板（２９）で構成される本発明の陰イオン発生器（２１）は図示されて無い蛍光灯器具または蛍光灯カバーの安定器回路から出る交流を直流で切り替える定流部（３２）と、定流された電源を一定な電圧レベルに調整する定電圧部（３４）と、この定電圧部（３４）に接続されて陰イオンを発生させる陰イオン発生部（３６）を含むのですが、このような陰イオン発生部（３６）の構成は通常的なことなので詳細な説明は略する。【００１３】また、本発明によれば陰イオン発生部（３６）の動作状態を表示するＬＥＤなどで成り立った作動表示部（３８）がさらに具備される．
一方、蛍光灯回路では初期点灯の時には安定器回路の中のスターターまたはコンデンサが接続される端子には機動電流が流れて途中以後には電流が遮られるので、このように電流がすぐ遮られるスターターまたはコンデンサー側端子に陰イオン発生器（２１）が接続されれば陰イオン発生器（２１）に電源が供給されることができなくて作動しない。このような場合には蛍光灯を灯器具から抜いて接続方向を変えて（反対側にして）再度挟めば良い。陰イオン発生器（２１）の正常な作動可否は上述のＬＥＤなどの作動表示部（３８）の点灯可否で判断するようになる。【００１４】本発明による陰イオン発生部（３６）は０．５から１Ｗ程度の低い消費電力であり、蛍光ランプ（１０）で流れる電流の一部を引き出して使用してもランプの明るさには与える影響は大変小さい。【００１５】図６は本発明の他の実試例。陰イオン発生器（３１）の回路構成図として、蛍光灯器具が電子式安定器を使う場合の陰イオン発生器（３１）の回路図を例示的に見せてくれるのに、このように陰イオン発生器自らの回路は既存に知られた適切な回路を選択することができることは勿論である。
【発明の効果】
【００１６】以上説明したように、本発明によって従来の直管型蛍光灯にもランプの見掛けや規格に対する変更なしに、陰イオン発生器を一体で構成した蛍光灯ランプを提供できることである。従来の一般的な直管型蛍光ランプと互換性があり使用できる新しい構造の陰イオン発生器が具備された蛍光ランプを提供することができる。【００１７】また、陰イオン発生器を蛍光ランプ（１０）に装着脱装可能に構成することで、蛍光ランプ（１０）の寿命が終った陰イオン発生器を分離して新しい蛍光灯に結合して使うこともできるので経済的である。
【図面の簡単な説明】
【００１８】
【図１】従来の陰イオン発生器内蔵蛍光灯の構成図
【図２】本発明の一つの実施例の構成図
【図３】上記実試例の外見図
【図４】上記実試例の陰イオン発生部の構成図
【図５】上記実試例の回路構成図
【図６】本発明の他の実試例の回路構成図
【符号の説明】
【００１９】１０．蛍光ランプ                      １５．ベース
１６．端子ピン                        ２０．ハウジング
２１．陰イオン発生器                  ２４．挿入孔
２５．端子ピン                        ２６．陰イオン放出孔
【図１】
2008066267.tif 000003
【図２】
2008066267.tif 000004
【図３】
2008066267.tif 000005
【図４】
2008066267.tif 000006
【図５】
2008066267.tif 000007
【図６】
2008066267.tif 000008